(57)【要約】  【課題】  省電力性と快適性が得られる空気調和システムを得る。  【解決手段】  室内空間内に冷房または暖房する室内機２を複数配置した空気調和システムにおいて、電源２１、制御器２２、温度検出器２５、無線通信器２４及びアンテナ２６を有し雰囲気温度を無線で送信する発信器１０と、発信器１０から送信された信号を受信し室内空間内に複数設置された受信器１１と、を備え、複数の受信器１１より発信器１０の位置を算出し、算出された位置と雰囲気温度に関連して室内機２の運転制御を行う。【選択図】  図１
2006105487.tif 000002
【特許請求の範囲】
【請求項１】
室内空間内に冷房または暖房する室内機を複数配置した空気調和システムにおいて、
電源、制御器、温度検出器、無線通信器及びアンテナを有し雰囲気温度を無線で送信する発信器と、前記発信器から送信された信号を受信し前記室内空間内に複数設置された受信器と、を備え、前記複数の受信器より前記発信器の位置を算出し、該算出された位置と前記雰囲気温度に関連して前記室内機の運転制御を行うことを特徴とする空気調和システム。
【請求項２】
請求項１に記載のものにおいて、前記室内空間内のうち前記算出された位置を他の位置よりも優先して温度制御することを特徴とする空気調和システム。
【請求項３】
請求項１に記載のものにおいて、前記受信器は前記室内器に設けられていることを特徴とする空気調和システム。
【請求項４】
請求項１に記載のものにおいて、前記発信器は人がいるかどうかを検知する人体センサを備え、人が近くにいない判断される場合は信号を発信しないことを特徴とする空気調和システム。
【発明の詳細な説明】
【技術分野】
【０００１】
本発明は、室内空間を冷房または暖房する空気調和システムに関し、特に省電力で運転制御するものに好適である。
【背景技術】
【０００２】
従来、室内空間に設定温度を指令する設定温度指令手段を複数配置し、その位置と設定温度とを検知して空調機の吹出し方向を制御することが知られ、例えば特許文献１に記載されている。
【０００３】
【特許文献１】特開平４−２０３７４８号公報
【発明の開示】
【発明が解決しようとする課題】
【０００４】
上記の従来技術は、特定ユーザの快適性を実現できるが、ユーザがその場から離れたときは空調機を切り忘れることがよくあり、省電力性に対して十分考慮されていない。  
本発明は、省電力性と快適性が得られる空気調和システムを提供することを目的とする。
【課題を解決するための手段】
【０００５】
上記課題を解決するために、本発明は、室内空間内に冷房または暖房する室内機を複数配置した空気調和システムにおいて、電源、制御器、温度検出器、無線通信器及びアンテナを有し雰囲気温度を無線で送信する発信器と、前記発信器から送信された信号を受信し前記室内空間内に複数設置された受信器と、を備え、前記複数の受信器より前記発信器の位置を算出し、該算出された位置と前記雰囲気温度に関連して前記室内機の運転制御を行うものである。
【０００６】
また、上記のものにおいて、前記室内空間内のうち前記算出された位置を他の位置よりも優先して温度制御することが望ましい。  
さらに、上記のものにおいて、前記受信器は前記室内器に設けられていることが望ましい。
【０００７】
さらに、上記のものにおいて、前記発信器は人がいるかどうかを検知する人体センサを備え、人が近くにいない判断される場合は信号を発信しないことが望ましい。
【発明の効果】
【０００８】
本発明によれば、人の居るところだけを空調し、人の居ないところでは空調機を停止することができるで省電力性と快適性の両方が得られる。
【発明を実施するための最良の形態】
【０００９】
事務所などでは、人が席から離れた場合など、人の居ないところも空調する場合があり、省電力性に対して考慮されていない。また空調機の室内温度検知は空調機室内機の空気吸い込み口にとりつけられており、人のまわりの温度は検知されておらず、快適性が十分に得られていない。
【００１０】
以下本発明の実施の形態について図を用いて説明する。  
図１は、本発明の一実施形態を示し、室内空間には天井に複数台の空気調和機の室内機２が設置され、接続配管３で空気調和機の室外機１に接続されている。室内に居る人は発信器１０を携帯しており、発信器１０でその発信器まわりの雰囲気温度を検知し、その情報を発信している。発信情報は天井に複数設置された受信器１１で受信されその情報がコントローラ１５に送られる。コントローラ１５では各受信器からの情報をもとに発信器の位置を算出すると共に、発信器１０周辺の雰囲気温度を検知し、位置情報からその発信器に近い室内機２を選択して、さらに温度情報に基づいて選択された室内機を運転する。雰囲気温度が設定温度に達しているときは室内機２の運転を停止する。  
これにより、温度検出器を備えた無線発信器１０を人が携帯することによって、人が移動しても人がいるところを空調することができ、快適性が得られる。また人がいないところは空調しないので無駄な空調運転がなくなり省電力が図れる。
【００１１】
図２は発信器１０の一実施形態を示している。発信器１０は、電源２１、制御器２２、スイッチ２３ａ、無線通信器２４、温度センサ２５ａ、人体センサ２５ｂおよびアンテナ２６で構成されている。スイッチ２３ａは発信器１０の機能をオンオフするものでオフにすると発信器１０からの信号の送信を停止する。図２は人体センサ２５ｂがあり、発信器１０の近くに人が居るか居ないかを検知するもので、例えば人の体温を検知するように赤外線センサで構成され、人が居ないと判断される場合は、発信器１０から信号を発しないように、又は人が居ないと言う情報を送信信号に付加するように機能する。これにより発信器１０が人から離れたところに置かれたことを受信器１１で判断でき、無駄な空調機の運転を防止することができる。
【００１２】
図３は、本発明の他の実施形態を示している。室内空間には天井に複数台の空気調和機の室内機２が設置され、接続配管３で空気調和機の室外機１に接続されている。また、天井には複数台の照明４が取り付けられている。複数台の室内機２および複数台の照明４にはそれぞれ空調用受信器１２および照明用受信器１４が取り付けられている。  
室内に居る人は発信器１０ａを携帯しており、発信器１０ａでその発信器まわりの雰囲気温度と照度を検知し、その情報を無線で発信している。発信情報は発信器１０ａ近くの空調用受信器１２および照明用受信器１４で受信され、それによって発信器１０ａ近くの室内機２の運転および照明４が制御される。
【００１３】
空調用受信器１２は受信した発信器１０ａまわりの雰囲気温度があらかじめ設定された温度に到達していなければ、その温度差によって空気調和機室内機２の能力を制御し、発信器１０ａまわりの雰囲気温度があらかじめ設定された温度に到達したら空気調和機室内機２の運転を停止する。また、照明用受信器１４は受信した発信器１０ａまわりの照度があらかじめ設定された照度より暗かったら照明４を点灯し、明るかったら消灯する。発信器１０ａは微弱無線を利用した場合は５ｍ程度であり、空気調和機室内機２や照明４の制御に適している。通信距離が長すぎる場合には、受信側で受信電力に閾値を設けて調整する。
【００１４】
図４は発信器１０ａの他の実施形態を示し、発信器１０ａは、電源２１、制御器２２、スイッチ２３ｂ、無線通信器２４、温度センサ２５ａ、人体センサ２５ｂ、照度センサ２５ｃおよびアンテナ２６で構成されている。スイッチ２３ｂは空調運転および照明を強制的にオン、オフまたは自動制御にするかを選択するスイッチである。本実施例では空調機の運転だけでなく照明も発信器で制御でき、人の居ないところの空調運転および照明をきることができ無駄な電力を抑制できる。
【００１５】
図５は、本発明のさらに他の実施形態を示している。室内空間には天井に複数台の空気調和機の室内機２が設置され、接続配管３で空気調和機の室外機１に接続されている。また、天井には複数台の照明４が取り付けられている。複数台の室内機２および複数台の照明４にはそれぞれ空調用受信器１２および照明用受信器１４が取り付けられている。壁には集中制御装置１６が設けられており、空調の室内機２の運転や照明４を制御する。室内のテーブルには発信器１０ａが置かれており、発信器１０ａでその発信器まわりの雰囲気温度、照度および人が近くに居るかを検知し、その情報を発信している。
【００１６】
発信情報は発信器１０ａ近くの空調用受信器１２および照明用受信器１４で受信され、それによって発信器１０ａ近くの室内機２の運転および照明４が制御される。空調用受信器１２が受信した発信器１０ａまわりの雰囲気温度があらかじめ設定された温度に到達していなければ、その温度差によって空気調和機室内機２の能力が制御され、発信器１０ａまわりの雰囲気温度があらかじめ設定された温度に到達したら空気調和機室内機２の運転が停止される。また、照明用受信器１４が受信した発信器１０ａまわりの照度があらかじめ設定された照度より暗かったら照明４を点灯し、明るかったら消灯する。さらに、空調用受信器１２ならびに照明用受信器１４が発信器１０ａ近くに人の居ない状態を受信した場合は室内機２の運転ならびに照明４を切る。
【００１７】
図６は集中制御装置１６の実施形態を示している。集中制御装置１６は、空気調和機室内機２の運転および照明を強制的にオンオフするか、または発信器１０ａの信号で自動運転するかを選択したり、室内空間の設定温度（例：２７℃）や室内機２の送風の風量（急風）を設定したりする。
【図面の簡単な説明】
【００１８】
【図１】本発明の一実施の形態による室内空間の配置を示す断面図。
【図２】一実施の形態による発信器の構成を示すブロック図。
【図３】他の実施の形態による室内空間の配置を示す断面図。
【図４】他の実施の形態による発信器の構成を示すブロック図。
【図５】さらに、他の実施の形態による室内空間の配置を示す断面図。
【図６】図５における集中制御装置の構成を示すブロック図。
【符号の説明】
【００１９】
１…室外機、２…室内機、３…接続配管、４…照明、１０、１０ａ、１０ｂ…発信器、１１…受信器、１２…空調機用受信器、１４…照明用受信器、１５…コントローラ、１６…集中制御装置、２１…電源、２２…制御器、２３ａ、２３ｂ…スイッチ、２４…無線通信器、２５ａ…温度センサ、２５ｂ…人体センサ、２５ｃ…照度センサ、２６…アンテナ。
【図１】
2006105487.tif 000003
【図２】
2006105487.tif 000004
【図３】
2006105487.tif 000005
【図４】
2006105487.tif 000006
【図５】
2006105487.tif 000007
【図６】
2006105487.tif 000008